(57)【特許請求の範囲】
【請求項１】
互いに平行に配置した竪方向部材と、これら各竪方向部材に対して直角方向に、且つ、互いに平行に配置した横方向部材と、これら竪方向部材と横方向部材とにより四方を囲まれる部分に支持した、ソーラセルを含むパネル状のソーラモジュールと、このソーラモジュールにより発電された電気を取り出す為の電力ケーブルとを備えた太陽光発電装置付パネル状構造体に於いて、上記ソーラモジュールの四辺を支持する竪方向部材及び横方向部材のうちの少なくとも一方である中空部材のうち一部で上記ソーラモジュールよりも屋内側に存在する部分の壁部を、開閉自在な蓋部材により構成し、上記電力ケーブルをこの蓋部材を設けた中空部材内に配設すると共に、この電力ケーブルの途中でこの蓋部材を設けた中空部材の中間位置に、この電力ケーブルを断接させる為のコネクタを設けた事を特徴とする太陽光発電装置付パネル状構造体。
【発明の詳細な説明】
【０００１】
【発明の属する技術分野】
この発明に係る太陽光発電装置付パネル状構造体は、ビルディングの外壁面を構成するカーテンウォールとして、或はトップライト等各種建造物の屋根面を構成するパネルとして利用し、風雨を遮ると共に太陽光を受けて発電を行なう。
【０００２】
【従来の技術】
ビルディングの外壁面を構成するカーテンウォールやトップライト等を構成するパネル状構造体に太陽光発電装置を組み込む事が、特開平７−２９３１２２号公報等に記載されている様に、従来から知られている。この公報等に記載されて従来から知られている太陽光発電装置付パネル状構造体は、四方をサッシ枠により囲まれた、ソーラセルを含むパネル状のソーラモジュールを備える。上記ソーラセルが太陽光を受ける事で発電した電力は、このソーラモジュールを支持するサッシ枠に沿って配設した電力ケーブルにより取り出して、上記ビルディング内で消費したり、或は送電線に送り込む。
【０００３】
【発明が解決しようとする課題】
上述の様な太陽光発電装置付パネル状構造体を長期間に亙って使用する為には、保守点検作業、並びに修理交換作業の容易化を図る必要がある。即ち、例えばビルディングの外壁面を構成する多数枚のカーテンウォールの全部又は一部に太陽光発電装置を組み込んだ場合には、これら複数組の太陽光発電装置を互いに直列又は並列に接続して、上記ビルディングの配電盤等に接続する必要がある。又、長期間に亙る使用に伴って、複数組の太陽光発電装置のうちの一部が劣化若しくは損傷した場合には、この一部の太陽光発電装置を修理若しくは交換する必要がある。従って、多数枚のカーテンウォールの全部又は一部に組み込んだ太陽光発電装置付パネル状構造体を長期間に亙って良好な状態で使用する為には、この太陽光発電装置付パネル状構造体に、次の▲１▼〜▲３▼の様な機能を持たせる事が好ましい。
▲１▼  各太陽光発電装置付パネル状構造体毎に、発電機能をチェックする等の検査を行なえる様に、特定のソーラモジュールに通じる電力ケーブルを他のソーラモジュールと切り離せる様にする。
▲２▼  上記発電機能のチェック等の検査作業を、屋内側から容易に行なえる様にし、且つ、検査作業を行なわない場合には、上記電力ケーブルが屋内側から見えて体裁を悪くしない様にする。
▲３▼  修理交換が必要なソーラモジュールを、パネル状構造体から容易に着脱できる様にする。
本発明は、この様な▲１▼〜▲３▼の機能を何れも具備した太陽光発電装置付パネル状構造体を実現させるべく、発明したものである。
【０００４】
【課題を解決するための手段】
本発明の太陽光発電装置付パネル状構造体は、前述の特開平７−２９３１２２号公報等に記載されて従来から知られている太陽光発電装置付パネル状構造体と同様に、互いに平行に配置した竪方向部材と、これら各竪方向部材に対して直角方向に、且つ、互いに平行に配置した横方向部材と、これら竪方向部材と横方向部材とにより四方を囲まれる部分に支持した、ソーラセルを含むパネル状のソーラモジュールと、このソーラモジュールにより発電された電気を取り出す為の電力ケーブルとを備える。
特に、本発明の太陽光発電装置付パネル状構造体に於いては、上記ソーラモジュールの四辺を支持する竪方向部材及び横方向部材のうちの少なくとも一方である中空部材のうち一部で上記ソーラモジュールよりも屋内側に存在する部分の壁部を、開閉自在な蓋部材により構成している。そして、上記電力ケーブルをこの蓋部材を設けた中空部材内に配設すると共に、この電力ケーブルの途中でこの蓋部材を設けた中空部材の中間位置に、この電力ケーブルを断接させる為のコネクタを設けている。
【０００５】
【作用】
上述の様な本発明の太陽光発電装置付パネル状構造体は、前述した▲１▼〜▲３▼の様な機能を何れも具備する。
先ず、▲１▼の機能に就いては、コネクタの接続を断つ事により、各太陽光発電装置付パネル状構造体毎に、ソーラモジュールに通じる電力ケーブルを他のソーラモジュールから切り離せる。そして、切り離した状態で、発電機能をチェックする等の検査をすべきソーラモジュールから上記電力ケーブルに送り出される電力を測定する等により、当該ソーラモジュールを検査できる。
次に、▲２▼の機能に就いては、蓋部材を取り外して竪方向部材又は横方向部材の内部から取り出した電力ケーブルの端部を上記▲１▼の機能により他のソーラモジュールから切り離す事により、屋内側から容易に行なえる。又、検査作業を行なわない場合には、上記電力ケーブルを収納した上記竪方向部材又は横方向部材に蓋部材を被着する事により、上記電力ケーブルが屋内側から見えない様にできて、体裁を整える事ができる。
更に、▲３▼の機能に就いては、コネクタの接続を断った状態では、修理交換が必要なソーラモジュールに付属した電力ケーブルの長さを短くして、この電力ケーブルをこのソーラモジュールと共に、パネル状構造体から容易に着脱できる。
【０００６】
【発明の実施の形態】
図１〜２は、本発明の実施の形態の１例を示している。パネル状構造体であるカーテンウォール１は、それぞれが中空の竪方向部材である、鉛直方向に亙って互いに平行に配置された方立２、２と、これら各方立２、２に対して直角方向に、且つ、互いに平行に配置された、それぞれが中空の横方向部材である無目３、３ａ、３ｂとを備える。そして、これら方立２、２と無目３ａ、３ｂとにより四方を囲まれる部分に、ソーラセル８、８を含むパネル状のソーラモジュール４、４と、採光用のガラスパネル５、５と、採光用並びに換気用のガラス障子６とを支持している。
【０００７】
このうちのソーラモジュール４、４は、２枚の透明パネル７、７同士の間に複数枚のソーラセル８、８を、サンドイッチ状に挟持して成る。これら各ソーラセル８、８は、互いに直列若しくは並列に接続して、必要とする電力を出力自在としている。これら各ソーラセル８、８から送り出される電力は、上記各ソーラモジュール４、４の上部屋内側面に添設したジャンクションボックス９に入力してから、電力ケーブル１０、１０を通じて取り出し自在としている。
【０００８】
上記各ソーラモジュール４、４の上縁部は、上側の無目３ａの下面屋外側端部に形成した上側係止溝１１に、シール材及びパッキング等を介して支持固定している。又、上記各ソーラモジュール４、４の下縁部は、下側の無目３ｂの上面屋外側端部に係止した押縁１２とこの無目３ｂとの間に形成した下側係止溝１３に、やはりシール材及びパッキング等を介して支持固定している。更に、上記各ソーラモジュール４、４の左右両側縁部は、方立２、２の側面中間部に係止した押縁１４とこれら各方立２、２との間に形成した側方係止溝１５に、やはりシール材及びパッキング等を介して支持固定している。尚、この様に、上下１対の無目３ａ、３ｂと左右１対の方立２、２との間で上記各ソーラモジュール４、４の四辺を支持する構造は、従来から知られているカーテンウォールで、ガラスパネルの四辺を支持する構造と同様であり、従来から周知の構造であるので、詳しい説明は省略する。
【０００９】
特に、本発明の太陽光発電装置付パネル状構造体に於いては、上記上側の無目３ａのうちの一部で上記ソーラモジュール４、４よりも屋内側に存在する部分、即ち、この無目３ａの屋内側端部の上面部分の壁部を、開閉自在な蓋部材１６により構成している。即ち、この無目３ａの一部を構成する水平枠材１７の本体部分１８に、上方が開口した収納空間１９を設け、この収納空間１９の上端開口を、上記蓋部材１６により開閉自在としている。前記ジャンクションボックス９から導出した前記電力ケーブル１０は、上記無目３ａの屋内側端部の庇部２０及び上記本体部分１８の底部に形成した通孔２１、２２を通じて、上記収納空間１９内に導入している。
【００１０】
この様にして上記電力ケーブル１０を、上記蓋部材１６を設けた上側の無目３ａ内に配設すると共に、この電力ケーブル１０の途中でこの無目３ａの中間位置に、この電力ケーブル１０を断接させる為のコネクタ２３を設けている。このコネクタ２３を構成する１対のコネクタ素子のうち、少なくとも上記ジャンクションボックス９に通じる電力ケーブル１０の側に接続したコネクタ素子は、上記各通孔２１、２２を通過自在な大きさとしている。更に、前記方立２、２と無目３ａ、３ｂとにより四方を囲まれる部分で上記各ソーラモジュール４、４よりも屋内側部分には、耐火ボード等により構成した遮光パネル２４を設けている。従って、上記各ソーラモジュール４、４、ジャンクションボックス９、電力ケーブル１０、１０の基端部等は、屋内からは目視できない。尚、水平方向に隣り合うソーラモジュール４、４に関する電力ケーブル１０、１０同士は、上記方立２、２を貫通する状態で配設した電力ケーブル１０ａ及びこの電力ケーブル１０ａの両端部に設けたコネクタ２３、２３により接続している。
【００１１】
上述の様に構成する、本発明の太陽光発電装置付パネル状構造体である、太陽光発電装置付カーテンウォールは、従来の太陽光発電装置付パネル状構造体と同様に、上記各ソーラモジュール４、４に組み込んだ前記各ソーラセル８、８が、太陽光を受ける事で発電する。そして、この結果生じた電力を、上記各電力ケーブル１０、１０により取り出して、上記太陽光発電装置付カーテンウォールを設けたビルディング内で消費したり、或は送電線に送り込む。
【００１２】
特に、本発明の太陽光発電装置付パネル状構造体である、太陽光発電装置付カーテンウォールは、前記コネクタ２３の接続を断つ事により、各太陽光発電装置付カーテンウォール毎に、検査すべきソーラモジュール４に通じる電力ケーブル１０を他のソーラモジュール４、４と切り離せる。そして、切り離した状態で、検査すべきソーラモジュール４から上記電力ケーブル１０に送り出される電力を測定する等により、当該ソーラモジュール４の発電機能をチェックする等の検査を行なえる。
【００１３】
この様な検査は、蓋部材１６を取り外して無目３ａを構成する水平枠材１７の内部から取り出した電力ケーブル１０の端部を、上記コネクタ２３の接続を断って他のソーラモジュール４から切り離す事により、屋内側から容易に行なえる。又、検査作業を行なわない場合には、上記電力ケーブル１０を収納した上記無目３ａの水平枠材１７の上端開口部に前記蓋部材１６を被着する事により、上記電力ケーブル１０が屋内側から見えない様にできて、体裁を整える事ができる。
【００１４】
更に、上記コネクタ２３の接続を断った状態では、修理交換が必要なソーラモジュール４に付属した電力ケーブル１０の長さを短くできる。そして、この電力ケーブル１０の端部に接続されたコネクタ素子を、前記通孔２１、２２を通じて上記無目３ａの下側に抜き出して、このコネクタ素子を接続した上記電力ケーブル１０を、上記ソーラモジュール４と共に、パネル状構造体であるカーテンウォール１から取り外す事ができる。そして、修理を終えたソーラモジュール４、或は新たなソーラモジュール４を上下１対の無目３ａ、３ｂと左右１対の方立２、２との間に組み込んだ後、上記両通孔２１、２２に上記コネクタ素子を挿通する事により、上記電力ケーブル１０を上記水平枠材１７内に配設し、上記コネクタ２３を接続すれば、再び電力の取り出しを行なえる。
【００１５】
尚、上述の実施の形態は、本発明をカーテンウォール１で実施した場合に就いて説明したが、本発明は、トップライト等、カーテンウォール以外のパネル状構造体で実施する事もできる。例えば、トップライトで実施する場合には、竪方向部材は傾斜方向に配設し、ソーラモジュールとして光透過性のものを使用すると共に、このソーラモジュールの屋内側には遮光パネルを設けない。
【００１６】
【発明の効果】
上述の様に構成し作用する本発明によれば、体裁を整えつつ、ソーラモジュールの検査及び修理交換作業を容易にして、太陽光発電装置付パネル状構造体の実用化に寄与できる。
【図面の簡単な説明】
【図１】本発明の実施の形態の１例を屋外側から見た状態で示す正面図。
【図２】要部を屋内側から見た状態で示す部分切断斜視図。
【符号の説明】
１    カーテンウォール
２    方立
３、３ａ、３ｂ  無目
４    ソーラモジュール
５    ガラスパネル
６    ガラス障子
７    透明パネル
８    ソーラセル
９    ジャンクションボックス
１０、１０ａ  電力ケーブル
１１    上側係止溝
１２    押縁
１３    下側係止溝
１４    押縁
１５    側方係止溝
１６    蓋部材
１７    水平部材
１８    本体部分
１９    収納空間
２０    庇部
２１    通孔
２２    通孔
２３    コネクタ
２４    遮光パネル
【図１】
0003938435.tif 000002
【図２】
0003938435.tif 000003